(57)【要約】  【課題】  この発明は、所謂三つ又フレームを採用した車両の前部車体構造において、より大きな荷重が入力された場合でも、フロントフレームの前端位置が車体内方側に変位（内倒れ）せず、フロントフレームを十分に座屈変形させることができる車両の前部車体構造を提供することを目的とする。  【解決手段】  この発明の車両の前部車体構造は、内方側メンバ部材１１３を車両中央側の上方に大きく延設し、その延設した部分に車両中央側斜め上方に延びる膨出部分１１３ｄを形成し、その膨出部分１１３ｄとダッシュパネル３１との間で閉断面部３４を構成している。  【選択図】  図３
2005075167.tif 000002
【特許請求の範囲】
【請求項１】
車室前端壁を構成するダッシュパネルと、
該ダッシュパネルの下端から車両後方に延びるフロアパネルとを備え、
該フロアパネルの車幅方向中央に車両前後方向に延びるトンネル部を形成し、
該フロアパネルの車幅方向側端に車両前後方向に延びるサイドシルを設ける共に、
該トンネル部とサイドシルの間のフロアパネル下面に車両前後方向に延びるフロアフレームを設け、
さらに前記ダッシュパネルの前方には車両前後方向に延びて、後端が該トンネル部、サイドシル及びフロアフレームに連結されるフロントフレームとを備えた車両の前部車体構造にあって、
前記フロントフレーム後端のトンネル部連結部分に、前記ダッシュパネルに対して荷重伝達を増加させる荷重伝達増加手段を設けた
車両の前部車体構造。
【請求項２】
前記荷重伝達増加手段を、フロントフレーム後端からダッシュパネルに延びる閉断面部として構成した
請求項１記載の車両の前部車体構造。
【請求項３】
前記閉断面部を車両中央側斜め上方に向かって延びるように構成した
請求項２記載の車両の前部車体構造。
【請求項４】
前記ダッシュパネルの後方に車両前後方向に延びるトンネル補強部材を設け、該トンネル補強部材とダッシュパネルとの間で第２閉断面部を形成すると共に、該第２閉断面部を前記荷重伝達増加手段の車両後方側に設定した
請求項１、２又は３記載の車両の前部車体構造。
【請求項５】
前記フロントフレームは左右一対設けられ、前記荷重伝達増加手段と前記第２閉断面部により、該左右一対のフロントフレーム間を連結するように構成した
請求項４記載の車両の前部車体構造。
【発明の詳細な説明】
【技術分野】
【０００１】
この発明は、車両の前部車体構造、特にフロントフレーム後端をフロアパネルのトンネル部、サイドシル、及びフロアフレームの三部材に連結するように構成した車両の前部車体構造に関する。
【背景技術】
【０００２】
従来より、正面衝突時にフロントフレームに入力される荷重を、車両前後方向に延びる複数のメンバ部材に適切に分配することで、車両の衝突性能を向上することが知られている。（例えば特許文献１参照）。
【０００３】
すなわち、特許文献１に記載されているように、フロントフレーム後端を、車両前後方向に延びるトンネルメンバ、サイドシル、及びフロアフレームの三つの部材に連結するよう三つ又に構成することで、正面衝突時にフロントフレームに入力される衝突荷重を適切に三つの部材に伝達して、衝突荷重の分散を図り、車両の衝突性能を向上するものが知られている。
【０００４】
【特許文献１】特開２００３−６３４５５号公報。
【発明の開示】
【発明が解決しようとする課題】
【０００５】
ところで、フロントフレームの衝突荷重吸収は、一般に座屈変形によって行われるため、衝突初期から中後期にかけて、フロントフレームの前端が左右上下に変位せず、そのまま後退する方がよい。
【０００６】
この点、前述の、所謂三つ又フレームを採用した車体構造の場合、確かにフレーム後端が三方に分かれているため、正面衝突時にフロントフレームの前端は左右上下に変位しにくい。
【０００７】
しかしながら、それぞれ衝突荷重を受ける部材を見てみると、サイドシルやフロアフレームが断面積を充分に確保した完全な閉断面のメンバ部材で構成されるのに対し、トンネル部に設けられるメンバ部材等は、車両の構成部材（例えば、排気管、プロペラシャフト等）や、車室容積確保のため、充分な断面積を確保することができず、充分な剛性が得られない。
【０００８】
このようにトンネル部のメンバ部材等のみ充分な断面積を有しないため、三つ又フレームを採用した場合であっても、大きな衝突荷重が入力された場合には、相対的に、フロントフレーム後端のトンネル部側の剛性が、サイドシル側に比して弱まり、フロントフレームの前端が車体内方側に変位（内倒れ）してしまい、フロントフレームを十分に座屈変形させることができないという問題があった。
【０００９】
特に、オープンカーなど、衝突荷重をアンダーボディでしか受けられない車両においては、こうした問題が生じやすい。
【００１０】
そこで、この発明は、所謂三つ又フレームを採用した車両の前部車体構造において、より大きな荷重が入力された場合でも、フロントフレームの前端位置が車体内方側に変位（内倒れ）せず、フロントフレームを十分に座屈変形させることができる車両の前部車体構造を提供することを目的とする。
【課題を解決するための手段】
【００１１】
この発明による車両の前部車体構造は、車室前端壁を構成するダッシュパネルと、該ダッシュパネルの下端から車両後方に延びるフロアパネルとを備え、該フロアパネルの車幅方向中央に車両前後方向に延びるトンネル部を形成し、該フロアパネルの車幅方向側端に車両前後方向に延びるサイドシルを設ける共に、該トンネル部とサイドシルの間のフロアパネル下面に車両前後方向に延びるフロアフレームを設け、さらに前記ダッシュパネルの前方には車両前後方向に延びて、後端が該トンネル部、サイドシル及びフロアフレームに連結されるフロントフレームとを備えた車両の前部車体構造にあって、前記フロントフレーム後端のトンネル部連結部分に、前記ダッシュパネルに対して荷重伝達を増加させる荷重伝達増加手段を設けたものである。
【００１２】
すなわち、フロントフレーム後端をトンネル部、サイドシル及びフロアフレームにそれぞれ連結する、所謂三つ又フレームとして構成した車両の前部車体構造において、トンネル部連結部分に、ダッシュパネルに対して荷重伝達を増加させる荷重伝達増加手段を設け、トンネル部側に伝達される衝突荷重をダッシュパネルにも増加して伝達するものである。
【００１３】
上記構成によれば、荷重伝達増加手段によりトンネル部側に伝達される衝突荷重をダッシュパネルにも伝達することになるため、ダッシュパネルでトンネル部側の衝突荷重を一部受けることができる。
【００１４】
よって、相対的に低いトンネル部側の剛性を、ダッシュパネルの剛性を利用して高めることができる。
【００１５】
なお、この荷重伝達増加手段の具体的な実施の形態としては、フロントフレーム後端のトンネル部連結部分の板厚を増加させる構成や、フロントフレーム後端のトンネル部連結部分に別のパネル材を貼設する構成、さらにフロントフレーム後端のトンネル部連結部分にダッシュパネルに対して延びるリブを複数形成する構成等が考えられる。
【００１６】
この発明の一実施態様においては、前記荷重伝達増加手段を、フロントフレーム後端からダッシュパネルに延びる閉断面部として構成したものである。
【００１７】
上記構成によれば、閉断面部を荷重伝達増加手段としたので、板厚を増加したり、別部材を設けるものよりも車体重量を増加させることなく、ダッシュパネルに対して荷重伝達を行うことができる。
【００１８】
よって、相対的に低いトンネル部側の剛性を、車体重量を増加させることなく高めることができる。
【００１９】
この発明の一実施態様においては、前記閉断面部を車両中央側斜め上方に向かって延びるように構成したものである。
【００２０】
すなわち、ダッシュパネルに対して荷重伝達を行う閉断面部を、車両中央側斜め上方に延びるよう傾斜して形成したものである。
【００２１】
上記構成によれば、ダッシュパネルに荷重伝達する位置を、フロントフレーム位置よりも車両中央側斜め上方に設定することになるため、サイドシルとフロアフレームの設置位置（車両側部及び車両下部）に対して、ちょうどフロントフレームを挟んで対向する位置で荷重を伝達することになる。
【００２２】
このようにサイドシルとフロアフレームの対向位置である車両中央側斜め上方位置で、ダッシュパネルに荷重伝達することにより、よりフロントフレーム後端の上下方向及び左右方向の剛性が均一になるため、さらに確実にフロントフレーム前端の車体内方側の変位（内倒れ）が抑えられ、フロントフレームを確実に座屈変形させることができる。
【００２３】
この発明の一実施態様においては、前記ダッシュパネルの後方に車両前後方向に延びるトンネル補強部材を設け、該トンネル補強部材とダッシュパネルとの間で第２閉断面部を形成すると共に、該第２閉断面部を前記荷重伝達増加手段の車両後方側に設定したものである。
【００２４】
上記構成によれば、トンネル補強部材で形成される第２閉断面部が荷重伝達増加手段の車両後方側に設定されることで、荷重伝達増加手段によりダッシュパネルに対する荷重伝達が増加しても、ダッシュパネルの剛性を充分に確保することができるため、荷重伝達増加手段をより確実に機能させることができる。
【００２５】
この発明の一実施態様においては、前記フロントフレームは左右一対設けられ、前記荷重伝達増加手段と前記第２閉断面部により、該左右一対のフロントフレーム間を連結するように構成したものである。
【００２６】
上記構成によれば、荷重伝達増加手段と前記第２閉断面部により左右一対のフロントフレーム間を連結することで、さらに車幅方向においてフレーム剛性を高めることができ、左右のフレーム間のねじれ剛性も高めることができる。よって、車両全体の車体剛性も向上することができる。
【発明の効果】
【００２７】
この発明によれば、所謂三つ又フレームとして構成した車両の前部車体構造において、トンネル部連結部分に、ダッシュパネルに対して荷重伝達を増加させる荷重伝達増加手段を設け、トンネル部側に伝達される衝突荷重をダッシュパネルにも増加して伝達するという構成を採ることにより、ダッシュパネルでトンネル部側の衝突荷重を一部受けることができ、相対的に低いトンネル部側の剛性を、ダッシュパネルの剛性を利用して高めることができる。
【００２８】
よって、三つ又フレームを採用した車両の前部車体構造において、より大きな荷重が入力された場合でも、フロントフレームの前端位置が車体内方側に変位（内倒れ）せず、フロントフレームを十分に座屈変形させることができる車両の前部車体構造を提供することができる。
【発明を実施するための最良の形態】
【００２９】
この発明の一実施例を以下図面に基づいて詳述する。  
図１は本発明の前部車体構造を採用した車両の下部車体構造の概略平面図である。
【００３０】
本実施例の車両は、車室上部を開放ボディした所謂オープンカーであり、アンダーボディである下部車体で衝突荷重を吸収するよう構成している。
【００３１】
すなわち、具体的な車体構造としては、図１に示すように、車両前方側に左右一対のフロントサイドフレーム１１，１１を設け、これら左右一対のフロントサイドフレーム１１，１１ではその中間部および前部を車両の前後方向に延びる車体剛性部材として構成する一方、このフロントサイドフレーム１１の後端部では、前後方向に延びる主要部１１ａと、車幅方向に延びる車幅方向内方の幅広部１１ｂと、車幅方向外方の幅広部１１ｃとを一体または一体的に形成し、さらに内方側の幅広部１１ｂにはトンネル部(図２参照)の車外側面に沿って後方に延びる延長部１１ｃを一体形成している。
【００３２】
また、左右一対のフロントサイドフレーム１１，１１の主要部１１ａの延長線上には後方に向けてフロアフレーム部１２およびリヤサイドフレーム１３をそれぞれ一体的に延設している。ここで、前述のフロアフレーム部１２はフロアパネル１７(図２参照)の下部車外側面に接合されて閉断面を形成して車両の前後方向に延びる車体剛性部材であって、フロントサイドフレーム１１の主要部１１ａはこのフロアフレーム部１２に接続されている。
【００３３】
前述のフロントサイドフレーム１１，１１の前部相互間には図１に示すように、車幅方向に延びるフロントクロスメンバ(いわゆるNo.1クロスメンバ)１４を設ける一方、ダッシュパネルの下部と対応するようにフロントサイドフレーム１１の後端部車外側には、車幅方向に延びるトルクボックス１５を設け、このトルクボックス１５の外側端部にはフロアフレーム部１２と略平行して車両の前後方向に延びるサイドシル１６を取付けている。
【００３４】
図１に示すように、前述のフロントサイドフレーム１１の外方の幅広部１１ｃは後述のダッシュパネル３１の前部車外側面に沿って車幅方向に延び、その車幅方向側部がトルクボックス１５およびサイドシル１６に接合されている。ここで、前述のトルクボックス１５はフロアフレーム部１２とサイドシル１６とを連結すべく車幅方向に延びる車体剛性部材である。
【００３５】
一方、フロントサイドフレーム１１の内方の幅広部１１ｂも後述のダッシュパネル３１の前部車外側面に沿って車幅方向に延び、その車幅方向中央部がトンネル部１８側に接合される。
【００３６】
しかも、その幅広部１１ｂから後方に延びる前述の各延長部１１ｄ，１１ｄは断面ハット状(断面門形状)のトンネル部１８の下面車外側における上部両角部(コーナ部)に接合され、一対の閉断面を形成している。
【００３７】
前述のトンネル部１８は、フロアパネル１７の略中央部を上方に突出して車両の前後方向に延びように形成され、このトンネル部１８のほぼ全長にわたって該トンネル部１８の車室内側上面にはトンネルメンバ１９(いわゆるハイマウント・バックボーンフレーム)を取付けて、トンネル部１８とトンネルメンバ１９との間には車両の前後方向に延びる閉断面２０，２０（図２、図５に示す）を形成して、車体剛性の向上を図っている。ここで、前述のトンネルメンバ１９はトンネル部１８に沿って車両の前後方向に延びるものである。
【００３８】
また、このトンネルメンバ１９の前方には、ダッシュパネルの車室側面とトンネルメンバ前端とを車両前後方向に延びて連結するトンネルレインフォースメント２１を設置している。このトンネルレインフォースメント２１により、正面衝突の際の衝突荷重をトンネルメンバ１９に伝達することができる。
【００３９】
なお、図１に示すように、トンネルメンバ１９の後端部とリヤサイドフレーム１３，１３との間は、リヤ側の連結フレーム２２で連結され、またサイドシル１６の後部とトンネル部１８との間は車幅方向に延びるリヤクロスメンバ２３で連結されている。
【００４０】
次に、車両の前部車体構造の詳細構造について、図２〜図６を利用して詳述する。図２は前部車体構造を示す要部の平面図、図３は前部車体構造の正面図、図４はフロントサイドフレーム後端の詳細斜視図、図５は前部車体構造の車室内方側の詳細斜視図、図６は図３のＡ−Ａ線矢視断面図である。
【００４１】
まず、車室前壁を形成するダッシュパネル３１は、車幅方向で且つ上下方向に延び、車幅方向中央では、その下部を前述のトンネル部１８に対応するよう上方に凹設し、さらにその上部にも車両後方側に凹む凹部３１ａを形成している。また、ダッシュパネル３１の車室側側面には、車幅方向に延びるダッシュクロスメンバ３２を接合している。このダッシュクロスメンバ３２は、ダッシュパネル３１との間で閉断面を構成し、前述のフロントフレーム１１後端に略一致する高さに接合すると共に、その両端をトンネル部１８と、トルクボックス１５を介してサイドシル１６（図２〜図６では図示せず）に接合している。
【００４２】
また、ダッシュパネル３１の下端には、車幅方向で且つ前後方向に延びるフロアパネル１７を接合している。このフロアパネル１７には、前述の如く車幅方向中央に前後方向に延びるトンネル部１８を形成している。このトンネル部の前部では、その内部（車室外側）にエンジン・変速機等のパワーユニットの一部を収納するため、上方及び車幅方向への突出量を大きく設定している。
【００４３】
さらに、このトンネル部１８の上部には、前述のトンネルメンバ１９とトンネルレインフォースメント２１を前後方向に延びるように接合している。このうちトンネルレインフォースメント２１はその前端の接合フランジ２１ａを、前述のダッシュクロスメンバ３２のトンネル部１８側の接合部３２ａよりさらに後方からダッシュパネル３１側に接合し、このトンネルレインフォースメント２１の前端で左右のダッシュクロスメンバ３２を連結するように構成している。
【００４４】
なお、トンネルメンバ１９の中央には、変速機から延びるシフトレバーを挿通するため挿通穴１９ａが穿設されている（図５参照）。
【００４５】
また、フロアパネル１７の下面には、前述のフロアフレーム部１２が左右一対で前後方向に延びるように接合される一方、フロアパネル１７の上面には、トンネル部１８とサイドシル１６を車幅方向に伸びて連結するフロアメンバ３３（図５参照）が左右一対で接合されている。
【００４６】
そして、ダッシュパネル３１の車両前方側には、前述の左右一対のフロントサイドフレーム１１が前後方向に延びるように配置されている。このフロントサイドフレーム１１の後端は前述の如く、その主要部１１ａをフロアフレーム部１２に、車幅方向外方の幅広部１１ｃをトルクボックス１５及びサイドシル１６に、車幅方向内方の幅広部１１ｂ及び延長部１１ｄをトンネル部１８に、それぞれ接合することで所謂三つ又構造としている（図２参照）。
【００４７】
すなわち、図３、図４に示すように、フロントサイドフレーム１１の後端は、フロントサイドフレームの主要部１１ａを構成する主要部メンバ部材１１１、車幅方向外方の幅広部１１ｃの側壁を構成する外方側メンバ部材１１２、車幅方向内方の幅広部１１ｂの側壁を構成する内方側メンバ部材１１３、及びこれらメンバ部材の上方に位置しフロントサイドフレーム後端の上壁を構成する上方側プレート部材１１４の４部材で構成している。
【００４８】
この４つの部材は、それぞれの接合フランジ１１１ａ〜１１４ａでダッシュパネル３１前面に接合される共に、各膨出部１１１ｂ〜１１３ｂでダッシュパネルとの間で閉断面を形成し、フロントサイドフレーム１１後端のフレーム断面を構成している。また、この４つの部材はそれぞれの間の接合フランジ１１１ｃ〜１１４ｃで相互に接合され、一体としてフロントサイドフレーム１１の後端を構成している。
【００４９】
なお、主要部メンバ部材１１１とフロアフレーム部１２との接合位置には、その前方に補強部材１１５が接合され、主要部メンバ部材１１１とフロアフレーム部１２との接合強度を高めている。
【００５０】
ここで、前述の内方側メンバ部材１１３には、さらにダッシュパネル上方の凹部３１ａに対して荷重伝達を増加させる閉断面部３４を設けている。すなわち、内方側メンバ部材１１３を車両中央側の上方に大きく延設し（図３参照）、その延設した部分に車両中央側斜め上方に延びる膨出部分１１３ｄを形成し、その膨出部分１１３ｄとダッシュパネル３１との間で閉断面部３４を構成している。
【００５１】
この閉断面部３４は、その前端をフロントサイドフレーム後端１１側面から滑らかに立ち上がるように形成し、その後端をダッシュパネル上方の凹部３１ａの縦壁に直交するように形成することで、確実にフロントサイドフレーム１１前方からの衝突荷重をダッシュパネル上方の凹部３１ａに伝達するように構成している（図４参照）。
【００５２】
このように衝突荷重がダッシュパネル３１にも増加して伝達されることで、内方側メンバ部材１１３が受け持つ衝突荷重が、トンネル部１８以外のダッシュパネル３１にも積極的に伝達され、トンネル部に伝達される衝突荷重が軽減される。
【００５３】
この閉断面部３４のダッシュパネル３１後方側には図６に示すように、トンネルレインフォースメント２１とダッシュパネル３１との間で構成される第２閉断面部３５を設定している。この第２閉断面部３５は前述の閉断面部３４の後方に位置することで、ダッシュパネルの凹部３１ａの剛性を高める共に閉断面部３４によって増加した衝突荷重を適切に受けることができる。
【００５４】
また、この第２閉断面部３５は、トンネル部１８の上方に位置し、左右一対の閉断面部３４を連結するように設定されている。すなわち、左右一対のフロントサイドフレーム１１は、左右一対の閉断面部３４と第２閉断面部３５によって連結されるように構成している。このように左右のフロントサイドフレーム１１が連結されることで、車幅方向のフレーム剛性が高まり、左右のフレーム間のねじれ剛性も高めることができる。
【００５５】
さらに、閉断面部３４と第２閉断面部３５との間には、図６に示すようにダッシュパネル３１とダッシュクロスメンバ３２との間で構成される第３閉断面部３６を設定している。この第３閉断面部３６は車幅方向に延びてダッシュパネル３１の車幅方向の位置を規制するため、さらにダッシュパネルの凹部３１ａの剛性を高めることができる。
【００５６】
なお、図２に示す３７は、フロントドアのヒンジ等を固定するフロントピラーである。
【００５７】
次に、以上のように構成した本実施例の車両の前部車体構造の作用及び効果について、詳述する。
【００５８】
このように本実施例の前部車体構造は、車室前端壁を構成するダッシュパネル３１と、該ダッシュパネルの下端から車両後方に延びるフロアパネル１７とを備え、該フロアパネル１７の車幅方向中央に車両前後方向に延びるトンネル部１８を形成し、該フロアパネルの車幅方向側端に車両前後方向に延びるサイドシル１６を設ける共に、該トンネル部１８とサイドシル１６の間のフロアパネル１７下面に車両前後方向に延びるフロアフレーム部１２を設け、さらに前記ダッシュパネルの前方には車両前後方向に延びて、後端が該トンネル部１８、サイドシル１６及びフロアフレーム部１２に連結されるフロントサイドフレーム１１とを備えた車両の前部車体構造にあって、前記フロントサイドフレーム１１後端のトンネル部１８連結部分に、前記ダッシュパネル３１に対して荷重伝達を増加させる閉断面部３４を設けたものである。
【００５９】
すなわち、フロントサイドフレーム１１後端をトンネル部１８、サイドシル１６及びフロアフレーム部１２にそれぞれ連結する、所謂三つ又フレームとして構成した車両の前部車体構造において、トンネル部１８連結部分たる内方側メンバ部材１１３に、ダッシュパネル３１に対して荷重伝達を増加させる閉断面部３４を設け、トンネル部１８側に伝達される衝突荷重をダッシュパネル３１にも増加して伝達するものである。
【００６０】
上記構成によれば、閉断面部３４によりトンネル部１８側に伝達される衝突荷重をダッシュパネル３１にも伝達することになるため、ダッシュパネル３１でトンネル部１８側の衝突荷重を一部受けることができる。
【００６１】
よって、相対的に低いトンネル部１８側の剛性を、ダッシュパネル３１の剛性を利用して高めることができる。
【００６２】
このように、相対的に低いトンネル部１８側の剛性を、ダッシュパネル３１の剛性を利用して高めることにより、三つ又フレームを採用した車両の前部車体構造において、より大きな荷重が入力された場合でも、フロントサイドフレーム１１の前端位置が車体内方側に変位（内倒れ）せず、フロントサイドフレーム１１を十分に座屈変形させることができる。
【００６３】
なお、この閉断面部以外、荷重伝達を増加させる他の実施形態としては、フロントサイドフレーム後端のトンネル部連結部分の板厚を増加させる構成や、フロントサイドフレーム後端のトンネル部連結部分に別のパネル材を貼設する構成、さらにフロントサイドフレーム後端のトンネル部連結部分にダッシュパネルに対して延びるリブを複数形成する構成などが考えられる。
【００６４】
また、この実施例では、荷重伝達を増加させる手段を、フロントサイドフレーム１１後端からダッシュパネル３１に延びる閉断面部３４として構成したものである。
【００６５】
上記構成によれば、閉断面部３４を荷重伝達を増加させる手段としたので、板厚を増加したり、別部材を設けるものよりも車体重量を増加させることなく、ダッシュパネル３１に荷重伝達することができる。
【００６６】
よって、相対的に低いトンネル部１８側の剛性を、車体重量を増加させることなく高めることができる。
【００６７】
また、この実施例では、前記閉断面部３４を車両中央側斜め上方に向かって延びるように構成したものである。
【００６８】
すなわち、ダッシュパネル３１に対して荷重伝達を行う閉断面部３４を、車両中央側斜め上方に延びるよう傾斜して形成したものである。
【００６９】
上記構成によれば、ダッシュパネル３１に対して荷重伝達する位置を、フロントサイドフレーム１１位置よりも車両中央側斜め上方に設定することになるため、サイドシル１６とフロアフレーム部１２の設置位置（車両側部及び車両下部）に対して、ちょうどフロントサイドフレーム１１を挟んで対向する位置に荷重を伝達することになる。
【００７０】
このようにサイドシル１６とフロアフレーム部１２の対向位置である車両中央側斜め上方位置で、ダッシュパネル３１に荷重伝達することで、よりフロントサイドフレーム１１後端の上下方向及び左右方向の剛性が均一になるため、さらに確実にフロントサイドフレーム１１前端の車体内方側の変位（内倒れ）が抑えられ、フロントサイドフレーム１１を確実に座屈変形をさせることができる。
【００７１】
また、この実施例では、前記ダッシュパネル３１の後方に車両前後方向に延びるトンネルレインフォースメント２１を設け、該トンネルレインフォースメント２１とダッシュパネル３１との間で第２閉断面部３５を形成すると共に、該第２閉断面部３５を前記閉断面部３４の車両後方側に設定したものである。
【００７２】
上記構成によれば、トンネルレインフォースメント２１で形成される第２閉断面部３５が閉断面部３４の車両後方側に設定されることで、閉断面部３４によりダッシュパネル３１に対する荷重伝達が増加しても、ダッシュパネル３１の剛性を充分に確保することができるため、閉断面部３４をより確実に機能させることができる。
【００７３】
また、この実施例では、前記フロントサイドフレーム１１，１１が左右一対設けられ、前記閉断面部３４と前記第２閉断面部３５により、該左右一対のフロントフレーム１１，１１間を連結するように構成したものである。
【００７４】
上記構成によれば、前記閉断面部３４と前記第２閉断面部により左右一対のフロントサイドフレーム１１，１１間を連結することで、さらに車幅方向においてフレーム剛性を高めることができ、左右のフレーム間のねじれ剛性も高めることができる。よって、車両全体の車体剛性も向上することができる。
【００７５】
なお、本実施例ではオープンカーの車体構造で説明したが、一般的なクローズドボディの車体構造で実施してもよい。
【００７６】
以上、この発明の構成と、前述の実施例との対応において、
この発明のフロントフレームは、実施例のフロントサイドフレーム１１，１１に対応し、
以下同様に、
荷重伝達増加手段は、閉断面部３４に対応し、
フロアフレームは、フロアフレーム部１２に対応し、
トンネル補強部材は、トンネルレインフォースメント２１に対応するも、
この発明は、前述の実施例の構成のみに限定されるものではない。
【図面の簡単な説明】
【００７７】
【図１】本発明を採用した下部車体構造の概略平面図。
【図２】前部車体構造を示す要部の平面図。
【図３】前部車体構造の正面図。
【図４】フロントサイドフレーム後端の詳細斜視図。
【図５】前部車体構造の車室内方側の詳細斜視図。
【図６】図３のＡ−Ａ線矢視断面図。
【符号の説明】
【００７８】
１１…フロントサイドフレーム（フロントフレーム）
１２…フロアフレーム部（フロアフレーム）
１６…サイドシル
１８…トンネル部
３１…ダッシュパネル
３４…閉断面部（荷重伝達増加手段）
【図１】
2005075167.tif 000003
【図２】
2005075167.tif 000004
【図３】
2005075167.tif 000005
【図４】
2005075167.tif 000006
【図５】
2005075167.tif 000007
【図６】
2005075167.tif 000008